(57)【要約】【課題】折り畳んだときには突出部分が殆どないようにすることができて、保管時の邪魔にも運搬時等における危険物ともならないようにすることができ、しかも展開したときにも、テーブル面上に突出物を全く現出させることもないようにすることのできる折り畳みテーブル１００を提供すること。【解決手段】第２ヒンジ２０の一端を第１テーブル３１または第２テーブル３２の側面に設けた枢着ピン２１に回動自在に枢着し、この第２ヒンジ２０の他端に形成したした長穴２２を、第２テーブル３２または第１テーブル３１の側面に設けた案内ピンに進退可能かつ回動自在に係合させて、展開時には、第２テーブル３２の突き合わせ面が第１テーブル３１のそれに対して突き合わされ、折り畳み操作時には、第１テーブル３１及び第２テーブル３２の各突き合わせ面が長穴２２の長さ範囲内で互いに退避し合えるようにしたこと。【選択図】図５
2004267664.tif 000002
【特許請求の範囲】
【請求項１】
側面に設けた第１ヒンジにより互いに折り畳み自在に連結されて、折り畳み時には表面同士が当接し合い、展開時には突き合わせ面が当接して、各表面によるテーブル面を形成する一対の第１テーブルと、
この第１テーブルの前記突き合わせ面とは反対側の辺に対して、側面に設けた第２ヒンジにより折り畳み自在に連結されて、折り畳み時には裏面が前記第１テーブルの裏面に当接され、展開時には前記第１テーブルの表面とによりテーブル面を形成する第２テーブルとを備えた折り畳みテーブルであって、
前記第２ヒンジの一端を前記第１テーブルまたは第２テーブルの側面に設けた枢着ピンに回動自在に枢着し、この第２ヒンジの他端に形成した長穴を、前記第２テーブルまたは第１テーブルの側面に設けた案内ピンに進退可能かつ回動自在に係合させて、
展開時には、前記第２テーブルの突き合わせ面が第１テーブルのそれに対して突き合わされ、折り畳み操作時には、前記第１テーブル及び第２テーブルの各突き合わせ面が前記長穴の長さ範囲内で互いに退避し合えるようにしたことを特徴とする折り畳みテーブル。
【請求項２】
前記第２ヒンジの一端を枢着している枢着ピンに止め金具を回動自在に設けて、この止め金具の先端に設けた係合溝を前記案内ピンに係合させることにより、前記案内ピンの前記長穴内での移動を規制するようにしたことを特徴とする請求項１に記載の折り畳みテーブル。
【請求項３】
前記第２ヒンジの回動を、前記第１テーブルまたは第２テーブルの側面に設けたストッパにより規制して、展開時における前記第１テーブルと第２テーブルとが山折り状態となるのを防止するようにしたことを特徴とする請求項１または請求項２に記載の折り畳みテーブル。
【請求項４】
前記第１テーブルが連結されている第２テーブルの反対側の辺に、別の第１テーブルを前記第２ヒンジを介して連結するようにしたことを特徴とする請求項１〜請求項３のいずれかに記載の折り畳みテーブル。
【発明の詳細な説明】
【０００１】
【発明の属する技術分野】
本発明は、収納時や運搬時には折り畳んでおき、庭先でのバーベキューやアウトドアライフを楽しむときには展開して必要な形態に展開して使用するようにした折り畳みテーブルに関するものである。
【０００２】
【従来の技術】
バーベキューやアウトドアライフを楽しむ場合には、物が置けるテーブルがあった方がよいことは当然であるが、テーブルは一般に嵩張るものであるから、使用しないときには邪魔物でしかない。そこで、収納や運搬時にはコンパクトなものとし、使用時には展開して使用できるようにした折り畳みテーブルが種々開発され、提案されてきているのである。
【０００３】
折り畳み可能なテーブルとするためには、分割されたテーブル板を突き合わせ面で一般的なヒンジにより連結すれば容易に構成できるが、一般的なヒンジは、テーブルの展開時にその枢軸部分がテーブル面から突出することになるため、余り好ましくない。勿論、この一般的なヒンジを使用しようとすると、テーブル板の突き合わせ面にヒンジのための穴または凹所を加工しなければならず、このことも好ましいことではない。従って、二枚板を枢軸に連結した一般的なヒンジは、この種の折り畳みテーブルを構成する材料としては好ましいものではないのである。
【０００４】
ところで、折り畳みテーブルの従来技術としては、例えば特許文献１にて提案されているような「四つ折りテーブル」がある。
【０００５】
【特許文献１】特開２００１−１７２３６号公報、要約、図２、段落００１２、段落００１３
【０００６】
【発明が解決しようとする課題】
この特許文献１に記載されているテーブルは、「収納性がよく、安定性に優れた天板を有するキャンプ用折畳みテーブルを提供する」ことを目的としてなされたもので、図８に示すように、
「第１テーブル片１および第２テーブル片２と、第３テーブル片３および第４テーブル片４とは、裏面の水準の枢軸２０ａを有するように取り付けられた第１ひんじ２０により、裏面を向き合わせて折り畳まれるように枢着する。第２テーブル片２および第３テーブル片３は、裏面の水準から側板の高さだけ離れた水準の枢軸３０ａを有するように取り付けられた第２ひんじ３０により、第２テーブル片２に重ねて畳まれた第１テーブル片１の天板と、第３テーブル片３に重ねて畳まれた第４テーブル片４の天板とを向き合わせて畳まれるように枢着する」（要約）
もので、「収納性がよく、安定性に優れた天板を有するキャンプ用折畳みテーブルを提供する」ことができたものと思われる。
【０００７】
しかしながら、このテーブルでは、上記特許文献１の段落００１２及び段落００１３においてそれぞれ記載されているように、
「第１ひんじ２０は、それぞれの側板に固着させる平板部と、側板の角部にあたる点に前記枢軸２０ａが位置できるように伸ばした腕部とからなる２枚の板部材を、枢軸２０ａで枢着する。」
「第２ひんじ３０は、それぞれの側板に固着させる平板部と、天板から側板の幅のおおよそ倍の高さだけ離れた点に前記枢軸３０ａが位置できるように伸ばした腕部とからなる２枚の板部材を、枢軸３０ａで枢着する。」
ものであり、両ひんじ２０ａ・３０ｂ共に、「伸ばした腕部」を有していて、これらの内のどちらかが各テーブル片を折り畳んだときにも、展開したときにも外方あるいはテーブル面の上方に突出することになる。このことは、３枚以上のテーブル板を、上記のようなひんじ２０及び３０を使用して折り畳みとする構造からどうしても発生するものである。
【０００８】
折り畳んだときに突出部分があると、例えばこの折り畳みテーブルを狭い車の中に積んで移動する際に、突出部分が危険物となることがある。また、テーブルとして展開したときには、天板上に突出するものがあれば、そのテーブルの使用勝手が悪くなることは当然である。天板下にも突出部分があれば、天板下に入れた人の膝や足が引っかかることも十分あえり得る。
【０００９】
そこで、本発明者は、折り畳んだ時は勿論、テーブルとして展開したときも、「ひんじ」が突出しないようにするにはどうしたらよいか、について種々検討を重ねてきた結果、本発明を完成したのである。
【００１０】
すなわち、本発明の目的とするところは、折り畳んだときには突出部分が殆どないようにすることができて、保管時の邪魔にも運搬時等における危険物ともならないようにすることができ、しかも展開したときにも、テーブル面上に突出物を全く現出させることもないようにすることのできる折り畳みテーブル１００を提供することにある。
【００１１】
【課題を解決するための手段】
以上の課題を解決するために、まず、請求項１に係る発明の採った手段は、後述する実施の形態の説明中において使用する符号を付して説明すると、
「側面に設けた第１ヒンジ１０により互いに折り畳み自在に連結されて、折り畳み時には表面同士が当接し合い、展開時には突き合わせ面が当接して、各表面によるテーブル面を形成する一対の第１テーブル３１・３１と、
この第１テーブル３１の突き合わせ面とは反対側の辺に対して、側面に設けた第２ヒンジ２０により折り畳み自在に連結されて、折り畳み時には裏面が第１テーブル３１の裏面に当接され、展開時には第１テーブル３１の表面とによりテーブル面を形成する第２テーブル３２とを備えた折り畳みテーブル１００であって、
第２ヒンジ２０の一端を第１テーブル３１または第２テーブル３２の側面に設けた枢着ピン２１に回動自在に枢着し、この第２ヒンジ２０の他端に形成したした長穴２２を、第２テーブル３２または第１テーブル３１の側面に設けた案内ピン２３に進退可能かつ回動自在に係合させて、
展開時には、第２テーブル３２の突き合わせ面が第１テーブル３１のそれに対して突き合わされ、折り畳み操作時には、第１テーブル３１及び第２テーブル３２の各突き合わせ面が長穴２２の長さ範囲内で互いに退避し合えるようにしたことを特徴とする折り畳みテーブル１００」
である。
【００１２】
すなわち、この請求項１に係る折り畳みテーブル１００は、図１に示すような複数のテーブル３１・３２（以下に示す実施形態では合計４枚）を側面の第１ヒンジ１０及び第２ヒンジ２０によって連結したものであり、図２〜図４に示すような折り畳みや展開が可能となるようにしたものである。なお、以下の説明において、「テーブルの側面」とは、図１において各テーブル３１・３２の手前側及びこれとは反対側で見えていない面のことを言い、「突き合わせ面」とは側面と直交する面であって、他のテーブルに突き合わされる面のことを言うものとする。
【００１３】
さて、一対の第１テーブル３１は、図１では中央の２枚に該当し、その各側面に設けた第１ヒンジ１０により互いに折り畳み自在に連結されて、折り畳み時には表面同士が当接し合い、展開時には突き合わせ面が当接して、各表面によるテーブル面を形成するものである。
【００１４】
これら一対の第１テーブル３１・３１を連結している第１ヒンジ１０は、後述する第２ヒンジ２０と同様な構成を有したものであってもよいが、以下に示す実施形態のものでは、特許文献１に示されているような第１テーブル３１の角部から突出する腕部を有して、この腕部で枢着するものを採用している。各第１ヒンジ１０が突出する腕部を有したものであっても、これらの突出腕部は、図３に示すように、一対の第１テーブル３１を各表面が当接するように折り畳んだとき、後述する第２ヒンジ２０を使用することによって外方には突出しない位置に配置できるからである。
【００１５】
一方、第２テーブル３２は、上記第１テーブル３１の突き合わせ面とは反対側の辺に対して、側面に設けた第２ヒンジ２０により折り畳み自在に連結されて、折り畳み時には裏面が第１テーブル３１の裏面に当接され、展開時には第１テーブル３１の表面とにより、何らの突出物のないテーブル面を形成するものである。
【００１６】
第２ヒンジ２０は、図５〜図７に示すように、その一端を第１テーブル３１または第２テーブル３２の側面に設けた枢着ピン２１に回動自在に枢着し、その他端に形成した長穴２２を、第２テーブル３２または第１テーブル３１の側面に設けた案内ピン２３に進退可能かつ回動自在に係合させるようにするものである。また、この第２ヒンジ２０は、図５及び図６の記載から分かるように、その全長が第１テーブル３１と第２テーブル３２との各厚さの合計と略同じであり、図３及び図４に示すように、これによって連結した第１テーブル３１及び第２テーブル３２を折り畳んで重ね合わせたときには、両テーブル３１・３２に対して略直交状態になるものである。
【００１７】
そして、この第２ヒンジ２０は、枢着ピン２１による連結部分とは反対側になる部分に、図７等に示すように、案内ピン２３が自由に移動し得る長穴２２を形成したものであった。この長穴２２の存在によって、図５に示すように、第１テーブル３１に対してこれに重なっていた第２テーブル３２を外方にズラすことができるのである。つまり、この第２ヒンジ２０に形成してある長穴２２は、第２テーブル３２の第１テーブル３１に対する回転中心、つまり案内ピン２３の位置を、図６にも示すように、長穴２２の最外端に位置させるようにすることにより、第１テーブル３１の角部から引き離すことを可能にするものであり、これにより、第２テーブル３２等の展開を円滑にするのである。勿論、展開完了時には、第１テーブル３１と第２テーブル３２との突き合わせ面を図７に示すように突き合わせて、各テーブル３１・３２によるテーブル面を形成するのである。このときには、案内ピン２３の位置は、図７に示すように、第２ヒンジ２０の長穴２２の最内端となる。
【００１８】
従って、この請求項１に係る折り畳みテーブル１００は、展開時には、第２テーブル３２の突き合わせ面が第１テーブル３１のそれに対して突き合わされ、折り畳みあるいは展開操作時には、第１テーブル３１及び第２テーブル３２の各突き合わせ面が長穴２２の長さ範囲内で互いに退避し合えるのであり、展開及び折り畳み完了時には第２ヒンジ２０が突出することがないのである。このため、この請求項１の折り畳みテーブル１００は、展開及び折り畳み完了時のいずれにおいても、危険のないものとなっているのである。
【００１９】
上記課題を解決するために、請求項２に係る発明の採った手段は、上記請求項１に記載の折り畳みテーブル１００について、
「第２ヒンジ２０の一端を枢着している枢着ピン２１に止め金具４０を回動自在に設けて、この止め金具４０の先端に設けた係合溝４１を案内ピン２３に係合させることにより、案内ピン２３の長穴２２内での移動を規制するようにしたこと」
である。
【００２０】
すなわち、この請求項２に係る折り畳みテーブル１００は、第１テーブル３１と第２テーブル３２とを展開したときに、両者の突き合わせ面が完全に当接し合うようにするもので、図５〜図７に示すように、第２ヒンジ２０の一端を枢着している枢着ピン２１に回動自在に設けたものである。そして、この止め金具４０の枢着ピン２１とは反対側に、枢着ピン２１の下側から係合することになる係合溝４１が形成してある。
【００２１】
この止め金具４０は、これを図７中の矢印方向に回動させたときに、その係合溝４１によって枢着ピン２１に係合するのであり、そのときには、第１テーブル３１と第２テーブル３２との突き合わせ面が互いに当接し合うようにするのである。この止め金具４０が、その係合溝４１によって枢着ピン２１に係合したときには、当該止め金具４０を設けた第１テーブル３１を第２テーブル３２に対してぴったりと密着し合った状態で、両者の固定を行うのである。これにより、第１テーブル３１と第２テーブル３２との表面は、水平なテーブル面を形成した状態で保持されることになるのである。
【００２２】
従って、この請求項２の折り畳みテーブル１００は、上記請求項１のそれと同様な機能を発揮する他、展開時における各第１テーブル３１及び第２テーブル３２の固定を確実に行うことができるのである。
【００２３】
上記課題を解決するために、請求項３に係る発明の採った手段は、上記請求項１または請求項２に記載の折り畳みテーブル１００について、
「第２ヒンジ２０の回動を、第１テーブル３１または第２テーブル３２の側面に設けたストッパ５０により規制して、展開時における第１テーブル３１と第２テーブル３２とが山折り状態となるのを防止するようにしたこと」
である。
【００２４】
すなわち、この請求項３の折り畳みテーブル１００は、その展開時における上記第２ヒンジ２０の回動位置をストッパ５０によって規制するようにしたものであり、以下に示す実施形態のストッパ５０においては、図６に示すように、展開時の第２ヒンジ２０を下方にて規制する第２ストッパ５２と、上方にて規制する第１ストッパ５１との２種類を用意している。
【００２５】
第１ストッパ５１は、図６に示すように、第１テーブル３１の側面に第２ヒンジ２０を軸支している枢着ピン２１によって同軸的に固定したものであり、その図示上端部を第２ヒンジ２０の幅程度に外側へ折曲して形成したストッパ片５３を有している。このストッパ片５３が、事実上第２ヒンジ２０の回動を規制するものである。一方、第２ストッパ５２は、図６及び図７に示すように、第１テーブル３１の突き合わせ面側であって第２ヒンジ２０に近接する部分に固定したものであって、その先端には、第２ヒンジ２０の図示下方への回動を規制するストッパ片５３が形成してある。この第２ストッパ５２側のストッパ片５３も、第１ストッパ５１側のストッパ片５３と同様に、事実上第２ヒンジ２０の回動を規制するものである。
【００２６】
なお、このストッパ５０は、第１テーブル３１と第２テーブル３２とが「山折り状態」となることを防止するだけで、逆の「谷折り状態」を阻止するものではない。このため、このストッパ５０及び上記第２ヒンジ２０を使用した折り畳みテーブル１００では、図２に示すような使用が可能となる。つまり、両端の第２テーブル３２を展開しないで下げたままとすることにより、テーブル下への風の通りの阻止や、外部からテーブル下が見えないようにすることができるのである。
【００２７】
従って、この請求項３に係る折り畳みテーブル１００では、上記請求項１または２のそれと同様な機能を発揮する他、第２ヒンジ２０の回動がストッパ５０によって規制されるため、この第２ヒンジ２０によって連結した部分が上方へ移動することがなく、つまり、当該ストッパ５０の両側に位置する第１テーブル３１及び第２テーブル３２が「山折り」状態となることはなく、展開時の安定性が高くなっているのである。
【００２８】
上記課題を解決するために、請求項４に係る発明の採った手段は、上記請求項１〜請求項３のいずれかに記載の折り畳みテーブル１００について、
「第１テーブル３１が連結されている第２テーブル３２の反対側の辺に、別の第１テーブル３１を第２ヒンジ２０を介して連結するようにしたこと」
である。
【００２９】
すなわち、この折り畳みテーブル１００は、第２ヒンジ２０の存在が折り畳み時の突出部分を形成しないという長所を有したまま、第１テーブル３１及び第２テーブル３２の複数を必要に応じて何枚でも連結するようにしたものである。
【００３０】
従って、この請求項４の折り畳みテーブル１００は、上記請求項１〜３のいずれかに記載の折り畳みテーブル１００と同様な機能を発揮する他、そのテーブル面が必要な大きさとなるものに自由に設計することができるものとなっているのである。
【００３１】
【発明の実施の形態】
次に、以上のように構成した各請求項に係る発明を図面に示した実施の形態である折り畳みテーブル１００について説明するが、この実施形態の折り畳みテーブル１００は、上記各発明を実質的に含むものであるため、以下では、この実施形態の折り畳みテーブル１００を中心に説明することとする。
【００３２】
図１には、本発明に係る折り畳みテーブル１００の展開状態が示してあるが、この折り畳みテーブル１００は、中央の２枚を第１テーブル３１とし、両側２枚を第２テーブル３２としたものである。各第１テーブル３１及び第２テーブル３２は、その側面や突き合わせ面をアルミニウム等の金属材料によって枠状に形成し、この枠の上面に、天板つまりテーブル面を形成するための化粧板を取り付けて形成したものである。なお、本実施形態の第１テーブル３１及び第２テーブル３２では、図３及び図４に示したように、天板の裏面に補強部材３３を取り付けてその補強を行うようにしてある。
【００３３】
また、この折り畳みテーブル１００では、中央の２枚の第１テーブル３１は、その側面に設けた第１ヒンジ１０によって、折り畳み時に各天板が外側になって互いに当接し合わない状態になるようにしてあり、この第１テーブル３１に連結される第２テーブル３２の天板の裏面が、図３にも示したように、外側に露出するようにしているものである。このように、天板の裏面が外側になるようにすることによって、天板の表面、つまりテーブル面を積極的に内部になるようにして、テーブル面が運搬時や保管時に傷を負ったり汚れたりしないようにしているのである。
【００３４】
折り畳まれた第１テーブル３１及び第２テーブル３２は、簡単に開いてしまってはならないから、本実施形態においては、図３中の部分拡大図にて示したように、１つのテーブルの側面に取り付けたロック１２を、隣接するテーブル板に設けたピンに係合させることにより、隣接し合うテーブル板が開かないようにしてある。また、折り畳んだ時に最外に位置する両第２テーブル３２の側面には、手での運搬を容易にするための吊り手７０が、図３及び図４に示したように設けてある。
【００３５】
勿論、各第１テーブル３１及び第２テーブル３２には、図３及び図４にも示したように、それぞれの中に折り畳むことのできる脚６０が設けてあり、この脚６０は、当該折り畳みテーブル１００の展開時には、図１や図２に示したように拡げて脚ストッパ６１による固定ができるものである。なお、各第１テーブル３１及び第２テーブル３２の裏面となる部分には、図３及び図４に示したように、補助脚６２が収納できるようにしてあるが、この補助脚６２は、上記脚６０に接続してテーブル高さを高くすることができるようにするものである。
【００３６】
一対の第１テーブル３１を、その側面で連結している各第１ヒンジ１０は、図３に示したように、第１テーブル３１の角部から少し外方に突出する腕部を有しているものであり、各腕部の先端は退避ピン１１によって枢着してある。つまり、この第１ヒンジ１０は、突出する部分はあるが、この突出部分は、当該折り畳みテーブル１００を展開したとき、図１に示したように、テーブル面の下側になるものである。
【００３７】
一方、以上の第１テーブル３１と第２テーブル３２とを、その各側面で連結する第２ヒンジ２０は、図５〜図７に示したように、例えば第２テーブル３２の側面にピッタリと収まり、重ねた第１テーブル３１と第２テーブル３２との厚さ程度の長さを有する板状のもので、一端は、例えば第２テーブル３２の側面に枢着ピン２１によって回動自在に枢着されるものである。また、この第２ヒンジ２０の他端には長穴２２が形成してあり、この長穴２２内には、例えば第１テーブル３１側に設けた案内ピン２３が係合されるのである。この長穴２２の長さは、第１テーブル３１に対して第２テーブル３２を回動させたときに、これらの第１テーブル３１及び第２テーブル３２の突き合わせ面が干渉し合わないようにすることができる程度のものである。
【００３８】
この第２ヒンジ２０を枢着している枢着ピン２１には、係合溝４１を有する止め金具４０が回動自在に取り付けてある。この止め金具４０は、図７の矢印方向に回動させたとき、その係合溝４１によって案内ピン２３に下から係合することになるものであり、第１テーブル３１及び第２テーブル３２の展開状態を維持すると同時に、テーブル面上には突出しないものである。
【００３９】
そして、この折り畳みテーブル１００においては、図６に示したように、例えば第１テーブル３１の側面に、第１ストッパ５１が上記枢着ピン２１を共用して固定的に取り付けてある。この第１ストッパ５１の図示上端には、図６及び図７に示したように、第２ヒンジ２０の幅程度に突出するストッパ片５３が形成してあり、このストッパ片５３は、図７に示したように、第２ヒンジ２０の枢着ピン２１より外側部分の上面に当接して、枢着ピン２１を中心にした第２ヒンジ２０の反時計方向への回動を規制するものである。
【００４０】
また、第１テーブル３１の突き合わせ面であって、第２ヒンジ２０に近接する部分には、図６に示したように、第１ストッパ５１と同様な機能を発揮する第２ストッパ５２が設けてある。この第２ストッパ５２にも、外側に突出するストッパ片５３が形成してあり、このストッパ片５３も、図７に示したように、枢着ピン２１を中心にした第２ヒンジ２０の反時計方向への回動を規制するものである。
【００４１】
【発明の効果】
以上、詳述した通り、本発明においては、上記実施形態にて例示した如く、
「第２ヒンジ２０の一端を第１テーブル３１または第２テーブル３２の側面に設けた枢着ピン２１に回動自在に枢着し、この第２ヒンジ２０の他端に形成したした長穴２２を、第２テーブル３２または第１テーブル３１の側面に設けた案内ピン２３に進退可能かつ回動自在に係合させて、
展開時には、第２テーブル３２の突き合わせ面が第１テーブル３１のそれに対して突き合わされ、折り畳み操作時には、第１テーブル３１及び第２テーブル３２の各突き合わせ面が長穴２２の長さ範囲内で互いに退避し合えるようにしたこと」
にその構成上の主たる特徴があり、これにより、折り畳んだときには突出部分が殆どないようにすることができて、保管時の邪魔にも運搬時等における危険物ともならないようにすることができ、しかも展開したときにも、テーブル面上に突出物を全く現出させることもないようにすることの折り畳みテーブル１００を提供することができたのである。
【図面の簡単な説明】
【図１】本発明に係る折り畳みテーブルの展開した状態を示した斜視図である。
【図２】第２テーブルを遮蔽物として利用している折り畳みテーブルの斜視図である。
【図３】同折り畳みテーブルの折り畳んだ状態を示す斜視図である。
【図４】一対の第１テーブルのロック１２を外して展開した状態を示す斜視図である。
【図５】第１テーブルに対して第２テーブルを展開するに当たって、第２テーブルの突き合わせ面を退避させて第１テーブルのそれに干渉しないようにした状態を示す部分斜視図である。
【図６】図５中の要部を拡大して示した部分拡大斜視図である。
【図７】図６の状態から第２テーブルを展開して各突き合わせ面を当接させた状態を示す部分拡大斜視図である。
【図８】従来の技術を示す斜視図である。
【符号の説明】
１００    折り畳みテーブル
１０    第１ヒンジ
１１    退避ピン
１２    ロック
２０    第２ヒンジ
２１    枢着ピン
２２    長穴
２３        案内ピン
３１    第１テーブル
３２    第２テーブル
３３    補強部材
４０    止め金具
４１    係合溝
５０    ストッパ
５１    第１ストッパ
５２    第２ストッパ
５３    ストッパ片
６０    脚
６１    脚ストッパ
６２    補助脚
７０    吊り手
【図１】
2004267664.tif 000003
【図２】
2004267664.tif 000004
【図３】
2004267664.tif 000005
【図４】
2004267664.tif 000006
【図５】
2004267664.tif 000007
【図６】
2004267664.tif 000008
【図７】
2004267664.tif 000009
【図８】
2004267664.tif 000010